(57)【特許請求の範囲】
【請求項１】
ベースと、該ベースに植え付けられたヘア材と、該ヘア材の根部側の面の全部に形成される第１粘着層と、タンク層と、皮膚に接着される第２粘着層と、第１剥離層と、第２剥離層とからなり、
上記ベースは極薄かつ透湿性のフィルム状素材からなり、
上記ヘア材は植付け基端となる根部を上記ベースの一面に密着させて設けるとともに、自由端部を他面側に現出させ、
上記第１粘着層は粘着力が比較的強くかつゲル化の程度が比較的大なる性質の粘着剤からなり、
上記第２粘着層は粘着力が比較的弱くかつゲル化の程度が比較的小なる性質の粘着剤からなり、
上記タンク層は上記ベースと同一のフィルム状素材からなり、
上記第１粘着層と上記第２粘着層とを上記タンク層を介して隣り合わせに設け、
第１剥離層は上記第２粘着層の皮膚へ装着される側の全部の面に剥離可能に貼付され、
第２剥離層は上記第１粘着層と上記タンク層の間の一部の面に積層されるとともに上記第１粘着層に剥離可能に貼付され、
上記ベース、上記第１粘着層、上記第２剥離層、タンク層、第２粘着層及び上記第１剥離層の順に積層され実質的に２次元形状の多層構造体として形成されることを特徴とする汎用かつら。
【請求項２】
請求項１記載の汎用かつらにおいて、上記第２剥離層が上記第１粘着層の後半部に形成されることを特徴とする汎用かつら。
【請求項３】
請求項１又は請求項２記載の汎用かつらにおいて、上記ヘア材は自由端部を引張状態において上記ベースに植え付けられることを特徴とする汎用かつら。
【請求項４】
請求項１記載の汎用かつらにおいて、上記第１粘着層の粘着力は上記第２粘着層の粘着力の約５倍程度であることを特徴とする汎用かつら。
【請求項５】
請求項１記載の汎用かつらにおいて、上記ヘア材は上記ベースにランダムに植え付けられることを特徴とする汎用かつら。
【請求項６】
第２剥離層が積層されている部分（以下、「積層部位」という）に対応する第１剥離層を剥して露出された第２粘着層を頭部の該当部位に貼付するステップと、
残余の第１剥離層を剥して上記積層部位以外の部分の第２粘着層を頭部に貼付するステップと、
上記積層部位に対応する第２粘着層に１次シワ付けをするステップと、
該１次シワ付けされた部分を隣接部分に接着するステップと、
第２剥離層を剥して第１粘着層の上記積層部位を露出するステップと、
上記第２粘着層の全部が頭部に貼付された状態で２次シワ付けをするステップと、
上記２次シワ付けされた状態のままで上記第１粘着層をタンク層の上に貼付するステップと、
上記２次シワ付けされた部分を根本付近から切除するステップとからなることを特徴とするかつらの装着方法。
【請求項７】
ベースと、該ベースに植え付けられたヘア材と、該ヘア材の根部側の面の全部に形成される第１粘着層と、タンク層と、皮膚に接着される第２粘着層と、第１剥離層と、第２剥離層とからなり、
上記ベースは極薄かつ透湿性のフィルム状素材からなり、
上記ヘア材は植付け基端となる根部を上記ベースの一面に密着させて設けるとともに、自由端部を他面側に現出させ、
上記第１粘着層は粘着力が比較的強くかつゲル化の程度が比較的大なる性質の粘着剤からなり、
上記第２粘着層は粘着力が比較的弱くかつゲル化の程度が比較的小なる性質の粘着剤からなり、
上記タンク層は上記ベースと同一のフィルム状素材からなり、
上記第１粘着層と上記第２粘着層とを上記タンク層を介して隣り合わせに設け、
第１剥離層は上記第２粘着層の皮膚へ装着される側の全部の面に剥離可能に貼付され、
第２剥離層は上記第１粘着層と上記タンク層の間の一部の面に積層されるとともに上記第１粘着層に剥離可能に貼付され、
上記ベース、上記第１粘着層、上記第２剥離層、タンク層、第２粘着層及び上記第１剥離層の順に積層され実質的に３次元形状の多層構造体として形成され、
上記タンク層に１次シワ付けにより１次シワが形成され、該１次シワが隣接部分に接着され、
上記第１粘着層に２次シワ付けにより２次シワが形成され、該２次シワが根本付近から切除されることを特徴とするカスタマイズかつら。
【請求項８】
請求項７記載のカスタマイズかつらにおいて、上記第２剥離層が上記第１粘着層の後半部に形成されることを特徴とするカスタマイズかつら。
【請求項９】
請求項７又は請求項８記載のカスタマイズかつらにおいて、上記ヘア材は自由端部を引張状態において上記ベースに植え付けられることを特徴とするカスタマイズかつら。
【請求項１０】
請求項７記載のカスタマイズかつらにおいて、上記第１粘着層の粘着力は上記第２粘着層の粘着力の約５倍程度であることを特徴とするカスタマイズかつら。
【請求項１１】
請求項７記載のカスタマイズかつらにおいて、上記ヘア材は上記ベースにランダムに植え付けられることを特徴とするカスタマイズかつら。
【発明の詳細な説明】
【技術分野】
【０００１】
本願発明は、かつらの分野、とくに汎用かつら、かつらの装着方法及びカスタマイズかつらに関する。
【背景技術】
【０００２】
かつらとくに頭部に着用するかつらは毎日使用するものであるため、経時的に劣化する。
【０００３】
一般に普及している手作業の植付けにより製造されたかつらは価格が数十万円と非常に高価であるため、例えば変色や腰折れ等経時的に多少劣化してもそのまま使用することが多い。このため、ただでさえ着用することにコンプレックスのあるユーザにとって、劣化するとかつらであることが判明し易くなるので、さらに着用に抵抗となっていた。
【０００４】
そこで、本願出願人が提案し、商品化にこぎつけた使い捨てをすることができるかつらが我が国だけでなく海外でも好評を博している。
【０００５】
この使い捨てかつらとしては、例えば特許第４００９９１０号がある。
特許文献１によるかつら３０は図２０（Ａ）に示すような構成となっており、ヘア材３１の根部３５が極薄ベース３３の一面に大きく突出され、この根部３５の内側とベース３３との間を紫外線（ＵＶ）硬化剤からなる接着剤３４で強固に固定し、その外側に粘着層３７を設けていた。
【０００６】
この粘着層３７は粘着力が比較的強くかつ硬い性質の粘着剤からなり、皮膚に装着したとき不測に剥離しないように構成されていた。
【０００７】
また図２０（Ｂ）に示すように、皮膚２０に装着したとき、矢示の如き光の乱反射によるベースのてかり防止、ベース方向への押圧力Ｆによるヘア材の抜け防止を奏すべく、根部３５と他部との間に形成された凹凸３８、３９が反転する反転現象を惹起するように構成されていた。しかしながら、かかることの結果、皮膚２０との接着は、正確には点接着Ｓとされていた（図１８参照）。
【０００８】
また着用後の取り外しにおいて、図２１に示すように、強い粘着力のため、非常に多くの皮膚２０の角質層２１が剥離してしまうという難があった。
【０００９】
角質層２１の剥離を防止するには、粘着力の比較的弱い粘着剤（以下、「弱い粘着剤」と略称する）を用いるのが効果的であり、本願発明者もこれを試みた。しかしながら、粘着力の比較的強い粘着剤（以下、「強い粘着剤」と略称する）の上に弱い粘着剤を重ねると、弱い粘着剤の粘着力も強力になってしまい、問題の解決にならないことが判明した。
【００１０】
また、点接着に関しては、皮膚２０との接着を面状接着とすることによる解決が期待できるところ、この面状接着とするためには、第１粘着層と第２粘着層との間に介在させる層の厚さを比較的厚くすれば根部の突出を吸収できる期待がある。しかしながら、介在層を厚くすると、かつら全体の厚さが大となるため、とくに生際がかつら然となり、見栄えが極端に悪化する難がある。
【００１１】
また、強い粘着剤の場合は、剥離された粘着層の粘着面に付着された角質層２１を除去することが実質上できない難がある。
【００１２】
さらに強い粘着剤を用いたかつらの場合は、皮膚２０に該強い粘着剤を残存させてしまうリスクがあり、また着用をユーザが自ら行うとき、粘着剤の粘着力が強力であるためベースが縮み、所望の部位に上手く被着させることが困難な場合があった。
【００１３】
このようにかつらの場合は製品厚による制約があるため、粘着力と面状接着の点で相反するような関係にあった。
【先行技術文献】
【特許文献】
【００１４】
【特許文献１】特許第４００９９１０号
【発明の概要】
【発明が解決しようとする課題】
【００１５】
本願発明は上記のような背景において、皮膚にやさしい弱い接着剤を用いるにもかかわらず、皮膚に面状接着させることを可能とし、これにより確実に装着することができ、また一旦特定ユーザの頭部形状にカスタマイズされると、頭部への装着がジャストフィットされるような、２次元形状に形成された汎用かつら及びかつらの装着方法を供すること並びにジャストフィット性のあるカスタマイズかつらを供することを目的とする。
【００１６】
また、かつらの装着作業がより正確にかつより迅速に行なうことができる汎用かつら、かつらの装着方法及びジャストフィット性のあるカスタマイズかつらを供することを目的とする。
【課題を解決するための手段】
【００１７】
上記目的達成のため、本願発明による汎用かつらは、ベースと、該ベースに植え付けられたヘア材と、該ヘア材の根部側の面の全部に形成される第１粘着層と、タンク層と、皮膚に接着される第２粘着層と、第１剥離層と、第２剥離層とからなり、上記ベースは極薄かつ透湿性のフィルム状素材からなり、上記ヘア材は植付け基端となる根部を上記ベースの一面に密着させて設けるとともに、自由端部を他面側に現出させ、上記第１粘着層は粘着力が比較的強くかつゲル化の程度が比較的大なる性質の粘着剤からなり、上記第２粘着層は粘着力が比較的弱くかつゲル化の程度が比較的小なる性質の粘着剤からなり、上記タンク層は上記ベースと同一のフィルム状素材からなり、上記第１粘着層と上記第２粘着層とを上記タンク層を介して隣り合わせに設け、第１剥離層は上記第２粘着層の皮膚へ装着される側の全部の面に剥離可能に貼付され、第２剥離層は上記第１粘着層と上記タンク層の間の一部の面に積層されるとともに上記第１粘着層に剥離可能に貼付され、上記ベース、上記第１粘着層、上記第２剥離層、タンク層、第２粘着層及び上記第１剥離層の順に積層され実質的に２次元形状の多層構造体として形成されることを特徴とする。
また、請求項１記載の汎用かつらにおいて、上記第２剥離層が上記第１粘着層の後半部に形成されることを特徴とする。
また、請求項１又は請求項２記載の汎用かつらにおいて、上記ヘア材は自由端部を引張状態において上記ベースに植え付けられることを特徴とする。
また、請求項１記載の汎用かつらにおいて、上記第１粘着層の粘着力は上記第２粘着層の粘着力の約５倍程度であることを特徴とする。
また、請求項１記載の汎用かつらにおいて、上記ヘア材は上記ベースにランダムに植え付けられることを特徴とする。
また、本願発明によるかつらの装着方法は、第２剥離層が積層されている部分（以下、「積層部位」という）に対応する第１剥離層を剥して露出された第２粘着層を頭部の該当部位に貼付するステップと、残余の第１剥離層を剥して上記積層部位以外の部分の第２粘着層を頭部に貼付するステップと、上記積層部位に対応する第２粘着層に１次シワ付けをするステップと、該１次シワ付けされた部分を隣接部分に接着するステップと、第２剥離層を剥して第１粘着層の上記積層部位を露出するステップと、上記第２粘着層の全部が頭部に貼付された状態で２次シワ付けをするステップと、上記２次シワ付けされた状態のままで上記第１粘着層をタンク層の上に貼付するステップと、上記２次シワ付けされた部分を根本付近から切除するステップとからなることを特徴とする。
また、本願発明によるカスタマイズかつらは、ベースと、該ベースに植え付けられたヘア材と、該ヘア材の根部側の面の全部に形成される第１粘着層と、タンク層と、皮膚に接着される第２粘着層と、第１剥離層と、第２剥離層とからなり、上記ベースは極薄かつ透湿性のフィルム状素材からなり、上記ヘア材は植付け基端となる根部を上記ベースの一面に密着させて設けるとともに、自由端部を他面側に現出させ、上記第１粘着層は粘着力が比較的強くかつゲル化の程度が比較的大なる性質の粘着剤からなり、上記第２粘着層は粘着力が比較的弱くかつゲル化の程度が比較的小なる性質の粘着剤からなり、上記タンク層は上記ベースと同一のフィルム状素材からなり、上記第１粘着層と上記第２粘着層とを上記タンク層を介して隣り合わせに設け、第１剥離層は上記第２粘着層の皮膚へ装着される側の全部の面に剥離可能に貼付され、第２剥離層は上記第１粘着層と上記タンク層の間の一部の面に積層されるとともに上記第１粘着層に剥離可能に貼付され、上記ベース、上記第１粘着層、上記第２剥離層、タンク層、第２粘着層及び上記第１剥離層の順に積層され実質的に３次元形状の多層構造体として形成され、上記タンク層に１次シワ付けにより１次シワが形成され、該１次シワが隣接部分に接着され、上記第１粘着層に２次シワ付けにより２次シワが形成され、該２次シワが根本付近から切除されることを特徴とする。
また、請求項７記載のカスタマイズかつらにおいて、上記第２剥離層が上記第１粘着層の後半部に形成されることを特徴とする。
また、請求項７又は請求項８記載のカスタマイズかつらにおいて、上記ヘア材は自由端部を引張状態において上記ベースに植え付けられることを特徴とする。
また、請求項７記載のカスタマイズかつらにおいて、上記第１粘着層の粘着力は上記第２粘着層の粘着力の約５倍程度であることを特徴とする。
また、請求項７記載のカスタマイズかつらにおいて、上記ヘア材は上記ベースにランダムに植え付けられることを特徴とする。
【発明の効果】
【００１８】
本願発明によるかつらは、一旦特定ユーザの頭部形状にカスタマイズされると、頭部への装着が第２粘着層の粘着力によるだけでなく、多層構造体が頭部へ嵌着状態となるため、この物理的な力も装着に寄与する。よって第２粘着層の粘着力が比較的弱くても、また装着面に多少のうぶ毛があっても、確実に装着することができ、不測の離脱を防止することができる。
【００１９】
特定ユーザの頭部形状にカスタマイズするために行なうシワ付けが１次と２次の２段に分かれているため、カスタマイズ作業をより正確に、かつ、作業の単純化により迅速に行なうことができる。
【００２０】
シワ付けが１次と２次の２段に分かれ、しかも「２次シワ付け」はシワ付けされた部分がカットされる（切除ステップ）ので、多層構造体の表面に不要部分の突出がない。よってベースフィルムにしわ発生による「寄れ」が生じないので、ベースに対する光の透過性が非常に良好となる。この結果、人体の皮膚とフィルムベースの見分けが困難となり、より自然な見映え感となる。また多層構造体の表面に不要部分の突出がないので、ヘア材の流れがしわにより変更されず一定となり、見映え感が一層良好となる。
【００２１】
カスタマイズ後のかつらの装着は、皮膚への接着面を視認しながら動作することができるから、非常に装着が容易となる。
【００２２】
本願発明によるかつらは何れのユーザにも対応する２次元形状の汎用かつらとして予め製造しておき、現場において特定ユーザの頭部形状にカスタマイズすることができるから、即日に対応することができる。
【図面の簡単な説明】
【００２３】
【図１】本願発明による汎用かつらの実施の形態を示す背面図である。
【図２Ａ】（Ａ）は本願発明によるカスタマイズ前の汎用かつらの一部を拡大した断面図、（Ｂ）は（Ａ）のＢ部を拡大した断面図である。
【図２Ｂ】（Ｃ）はカスタマイズ後のカスタマイズかつらの一部を拡大した断面図、（Ｄ）は（Ｃ）のＤ部を拡大した断面図である。
【図３】本願発明に使用するヘア材の横断面図である。
【図４】本願発明による汎用かつらの使用状態を示す平面図である。
【図５】本願発明による汎用かつらの作業工程を示す説明図である。
【図６】本願発明による汎用かつらの装着方法を示す図で、その第１ステップを示す。
【図７】本願発明による汎用かつらの装着方法を示す図で、その第１ステップを示す。
【図８】本願発明による汎用かつらの装着方法を示す図で、その第２ステップを示す。
【図９】本願発明による汎用かつらの装着方法を示す図で、その第２ステップを示す。
【図１０】（Ａ）は本願発明による汎用かつらの装着方法を示す図で、その第３ステップを示す。（Ｂ）は（Ａ）のＢ矢視拡大図である。
【図１１】本願発明による汎用かつらの装着方法を示す図で、その第３ステップを示す。
【図１２】本願発明による汎用かつらの装着方法を示す図で、その第４ステップを示す。
【図１３】（Ａ）は本願発明による汎用かつらの装着方法を示す図で、その第５ステップ及び第６ステップを示す。（Ｂ）は（Ａ）のＢ矢視拡大図である。
【図１４】本願発明による汎用かつらの装着方法を示す図で、その第７ステップを示す。
【図１５】本願発明によるカスタマイズかつらの効果の説明に使用する図で、前方からみた斜視図である。
【図１６】本願発明によるカスタマイズかつらの効果の説明に使用する図で、後方からみた斜視図である。
【図１７】本願発明による汎用かつらの効果の説明に使用する皮膚の概略拡大断面図である。
【図１８】図１７の対比例としての概略拡大断面図である。
【図１９】本願発明による汎用かつらの効果の説明に使用する皮膚の一部を拡大した概略断面斜視図である。
【図２０】（Ａ）は従来の使い捨てかつらの一部を拡大した断面図、（Ｂ）は使用時の反転現象を示す一部拡大断面図である。
【図２１】従来の汎用かつらの説明に使用する皮膚の一部を拡大した概略断面斜視図である。
【発明を実施するための形態】
【００２４】
次に、実施の形態を示す図面に基づき本願発明による汎用かつらをさらに詳しく説明する。なお、便宜上同一の機能を奏する部分には同一の符号を付してその説明を省略する。
【００２５】
本願発明による汎用かつら１は、ベース３と、該ベース３に植え付けられたヘア材５と、該ヘア材５の根部７を点状に固定する紫外線（ＵＶ）硬化剤９と、上記根部７の面即ち上記ベース３の裏面全面を上記紫外線（ＵＶ）硬化剤９の上から均等な厚さで形成される第１粘着層１１と、該第１粘着層１１の裏面全面に均等な厚さで形成されるタンク層１３と、該タンク層１３の裏面全面に均等な厚さで形成され頭部の皮膚２０に接着される第２粘着層１５と、剥離紙からなり上記第２粘着層１５の裏面に剥離可能に貼付される第１剥離層１７と、剥離紙からなり上記第１粘着層１１の後半部の裏面に剥離可能に貼付される第２剥離層１８とからなる。上記汎用かつら１は、上記ベース、上記第１粘着層１１、上記第２剥離層１８、タンク層１３、第２粘着層１５及び上記第１剥離層１７の順に積層され、実質的に２次元形状の多層構造体として形成される。２２は自毛である（図４に示す）。
【００２６】
上記ベース３は、厚さＴ1が例えば約３０μｍ程度の極薄かつ透湿性のフィルム状素材例えばポリウレタンからなる。上記ヘア材５は、ポリエステル繊維からなり、植付け基端となる根部７を上記ベース３の裏面に密着させて設け、上記ベース３の表面側に自由端部を現出させる。上記ヘア材５は上記ベース３にランダムに植え付けられる。上記根部７はベース３の１本分の太さだけ上記ベース３の裏面に突出してなる。
【００２７】
ヘア材５の直径は、図３に示すように、Ｄ1が約０．０４ｍｍ〜０．０５ｍｍ、１対としたＤ2が約０．０８ｍｍである。
【００２８】
上記第１粘着層１１は、主成分がシリコンとアクリルとの混合からなる粘着剤であって、粘着力が比較的強くかつゲル化の程度が比較的大なるいわゆる硬い性質の粘着剤からなり、厚さＴ2が上記ベース３厚の倍の約６０μｍにて形成される。他方、上記第２粘着層１５は主成分がシリコンとアクリルとの混合からなる粘着剤であって、粘着力が比較的弱くかつゲル化の程度が比較的小なるいわゆる柔らかい性質の粘着剤からなり、厚さＴ4が上記第１粘着層１１と同厚の約６０μｍにて形成される。
【００２９】
具体的には、粘着力の程度（引きはがし粘着力）は、第１粘着層１１で１６．５Ｎ／２０ｍｍ幅程度、第２粘着層１５で３Ｎ／２０ｍｍ幅程度である。この粘着力の測定値はＪＩＳ  Ｚ  ０２３７第１０項（粘着力）に準拠し試験板に対する粘着力をいうが、上記ＪＩＳの粘着力では試験板をステンレス（ＳＵＳ）板として測定するのに対し、本願発明ではベークライト板を試験板として測定する。「ゲル化」とは粘着剤の接着成分が半固体状に変化することをいい、具体的な指標は、ＪＩＳ  Ｚ  ０２３７第１３項（保持力）を参考にするものの測定が困難であるので、第１粘着層１１と第２粘着層１５との相対評価とする。
【００３０】
上記タンク層１３は上記ベース３と同一のフィルム状素材例えばポリウレタンからなり、厚さＴ3が上記ベース３と同厚の約３０μｍにて、上記第１粘着層１１と上記第２粘着層１５との間に隣り合わせに積層され、サンドイッチ構造に接着されている。
【００３１】
上記第１剥離層１７はポリエチレンテレフタレート（ＰＥＴ）からなり、第２粘着層１５の皮膚２０に接着される面に設けられる。
【００３２】
上記第２剥離層１８はポリエチレンテレフタレート（ＰＥＴ）からなり、上記第１粘着層１１と上記タンク層１３との後半部に積層されるとともに、該第１粘着層１１の後半部に剥離可能に貼付される。
【００３３】
なお、人体の皮膚の角質層２１は２週間毎に新陳代謝されると言われている。
【００３４】
上記汎用かつら１が特定ユーザの頭部形状に合致したカスタマイズかつら２については、便宜上、装着方法の説明とともに説明する。
【００３５】
本願発明によるかつらは、図４に示すように、自毛のない部分に適用されるとき、とくに効果を発揮する。
【００３６】
次に本願発明による汎用かつら１の製造工程について説明する。ベース３に植え付けられたヘア材５に対し（図５（Ａ））、供給ピン２３により紫外線（ＵＶ）硬化剤９が点状に付与される（図５（Ｂ））。この紫外線（ＵＶ）硬化剤９の供給の際、ヘア材５を引張状態として根部７をベース３に密着させる。これにより上記紫外線（ＵＶ）硬化剤９は図５（Ｃ）に示すように略すべてが根部７の外側に喰み出た状態となり、この状態で根部７はベース３上に突出して固定される。
【００３７】
次いで、強い粘着剤がベース３の全面に供給され、第１粘着層１１が形成される。このとき、図２Ａ（Ｂ）に示すように、ベース３上における根部７の突設状態は解消されていない。
【００３８】
次いで、上記第１粘着層１１の後半部に第２剥離層１８が積層され、上記第１粘着層１１に接着される（図２Ａ（Ａ）参照）。
【００３９】
次いで、上記第１粘着層１１及び上記第２剥離層１８の全面にタンク層１３が積層され、上記第１粘着層１１に接着される（図２Ａ（Ａ）参照）。
【００４０】
次いで、上記タンク層１３の全面に弱い粘着剤が供給され、第２粘着層１５が形成される。このとき、図２Ｂ（Ｄ）に示すように、根部７の突設状態は根部７の外側に順次積層された上記タンク層１３及び上記第２粘着層１５により略解消され、皮膚２０に接する粘着面具体的には第２粘着層１５が凹凸の殆どない面となる。このとき、第２剥離層１８の積層部位に相当する部分が第１剥離層１７の側に喰い込んだ状態となっている。
【００４１】
上記汎用かつら１を装着し、特定ユーザにカスタマイズされたカスタマイズかつらとするには、次のステップにより行なう。
【００４２】
まず第１剥離紙１７の前半部１７ａ（多層構造体の中央部より前半の部分に相当する第１剥離紙１７の部分）を剥し（図６）、第２粘着層１５の前半部１５ａを前頭部に貼付する（第１ステップ、図７）。
【００４３】
次いで第１剥離紙１７の後半部１７ｂ（多層構造体の中央部より後半の部分に相当する第１剥離紙１７の部分）を剥し（図８）、第２粘着層１５の後半部１５ｂを露出状態として後頭部に貼付する（第２ステップ、図９）。
【００４４】
この第２粘着層１５の後半部１５ｂを後頭部に貼付するとき、１次シワ付けをする（第３ステップ）。１６は１次シワ付けにより形成された１次シワである（図１０）。
【００４５】
１次シワ付けは、２次元形状の多層構造体を特定ユーザの頭部形状に概略対応させた球面形状にするために行なう。１次しわ１６は、タンク層１３と第２粘着層１５とからなる素材がぺらぺらの極薄であるため頭部形状に沿って自然に形成されるから、シワの個数は任意である。複数個のシワの場合は、図１１に示すように、後頭部の全領域に生成されることを妨げない。
【００４６】
１次シワ付けは、図１０（Ｂ）に示すように、適宜部位の第２粘着層１５及びタンク層１３からなる積層体を起立させて拝み接着させ１次シワ１６を形成し、該１次シワ１６を寝かせて隣接する部分へ接着させ、この状態で第２粘着層１５を頭皮２０に貼付する（図１１）。１次シワ付けは第２剥離層１８が介在している部分、図示例の場合は後頭部の領域において行なわれる。
【００４７】
次いで第２剥離層１８を剥す（図１２）。これにより第１粘着層１１が露出状態となる（第４ステップ）。このとき、第２粘着層１５及びタンク層１３は頭部に貼付されたままである。この状態で「２次シワ付け」をする（第５ステップ、図１３）。２次シワ付けはユーザの頭部形状に概略対応させ球面形状となっている多層構造体をユーザの頭部形状に正確に合致させるために行なう。これによりヘア材５の流れを正確につけることが可能となり、より自然な感じとなって見映え感が良好となる。
【００４８】
２次シワ付けは、図１３（Ｂ）に示すように、シワ付けされる第１粘着層１１からなる積層体、即ち当該第１粘着層１１と、これに接着されている根部７及びヘア材５を植え付けられたベース３とからなる積層体を起立させて拝み接着させ２次シワ１９を形成する。
【００４９】
該２次しわ１９の箇数は１個又は複数箇とすることができる。単一個とする場合は後頭部の中央部付近が望ましく、複数箇とする場合は後頭部の両側に形成するのが望ましい。また２次シワ付けの部位は、１次シワ付けされた部位１６と異なるところに形成するのが望ましい。
【００５０】
次いで第１粘着層１１を２次シワ付けされた状態のままタンク層１３の上に貼付する（第６ステップ、図１３（Ａ）参照）。
【００５１】
次いで、拝み接着された第１粘着層１１等の上記積層体からなる２次シワ１９がヘア材５を植え付けられたまま根本付近からカットされる（第７ステップ、図１４）。なお、カットラインＣを図１３（Ｂ）に示す。
【００５２】
これにより、かつらが特定ユーザの頭部形状に合致した３次元形状にカスタマイズされ、カスタマイズかつら２が形成される。
【００５３】
本実施の形態によれば次の如き作用効果がある。
【００５４】
<１．ジャストフィット性>
上記実施の形態によるかつらは、一旦特定ユーザの頭部形状にカスタマイズされると、頭部への装着が第２粘着層１５の粘着力によるだけでなく、多層構造体が頭部へ嵌着状態となるため、この物理的な力も装着に寄与する。よって第２粘着層１５の粘着力が比較的弱くても乃至多少弱くなっても、また装着面に多少のうぶ毛があっても、確実に装着することができ、不測の離脱を防止することができる。
【００５５】
このジャストフィット性により第２粘着層１５の粘着力を一層弱化させることができ、その分皮膚へ負担を減少することができる。
【００５６】
特定ユーザの頭部形状にカスタマイズするために行なうシワ付けが１次と２次の２段に分かれているため、カスタマイズ作業をより正確に、かつ、作業の単純化により迅速に行なうことができる。
【００５７】
特定ユーザの頭部形状にジャストフィットしているので、異音の発生、水、汚れ等の浸入等を防止し、使用感を大幅に改善し、また耐久性も良好とすることができる。
【００５８】
<２．透過性効果等>
シワ付けが１次と２次の２段に分かれ、しかも「２次シワ付け」はシワ付けされた部分がカットされる（切除ステップ）ので、多層構造体の表面に不要部分の突出がない。よってベースフィルムにしわ発生による「寄れ」が生じないので、ベース３に対する光の透過性が非常に良好となる。この結果、人体の皮膚とフィルムベース３の見分けが困難となり、より自然な見映え感となる。
【００５９】
また多層構造体の表面に不要部分の突出がないので、ヘア材５の流れがしわにより変更されず一定となり、見映え感が一層良好となる。
【００６０】
シワ付けされたしわはカット処理され、ヘア材部分が突出しないので、しわがあると不可能であった短髪のかつらを作成することが可能となる。さらに特定のヘアスタイルに限定されないので、かつらのバリエーションが増加する。
【００６１】
<３．ハンドリング>
２回目以降の装着、即ちカスタマイズかつら２の装着は、図１５及び図１６に示すように、かつらが３次元形状であるから多層構造体の中央部分４を下方に突出して行なうことになる。よって、皮膚への接着面を視認することができるから、非常に装着が容易となる。
【００６２】
また多層構造体の中央部分４が下方に突出するから、ヘア材５が上方に上がることになり、装着時のヘア材５の巻込みを防止することができる。
【００６３】
よってかつらの装着動作が容易かつ迅速となり、ハンドリング性が良好となる。
【００６４】
<４．即応性>
従来のかつらにおいて、特定ユーザの頭部形状にカスタマイズするには、型取りをする工程、ベースを製造する工程、植毛をする工程等を経て早くても４０日程度の日数を要していた。しかしながら、本願発明によるかつらは何れのユーザにも対応する２次元形状の汎用かつらとして予め製造しておき、現場において特定ユーザの頭部形状にカスタマイズすることができるから、即日に対応することができる。
【００６５】
よって、納品の迅速性、コストの大幅低減に寄与する。
【００６６】
<５．面状接着による粘着保持力>
まず、第２粘着層１５はタンク層１３の存在により略フラットな面となっている（図２Ｂ（Ｃ）参照）。しかも、タンク層１３が透湿性のある素材からなるため、皮膚２０に装着中発せられる汗等を吸収し、これにより根部による突出が益々軽減される。
【００６７】
この結果、第２粘着層１５が皮膚２０に面状に接着することができ、弱い粘着剤であるにもかかわらず、粘着力が長期間保持される。
【００６８】
この点につき、第２粘着層１５中のゲル化成分は、汗中の水分が仮に第２粘着層１５に移行すると、粘着剤の分子構造が破壊され、容易にゲル化されて粘着力が過度に強くなる。しかしながら本実施の形態によれば、タンク層１３が第２粘着層１５と第１粘着層１１との間に介在することにより、上記ゲル化の移行が阻止されるから、弱い粘着力が長期間保持されるのである。
【００６９】
顕微鏡的視点において、図１７に示すように、皮膚２０には若干の凹凸があるところ、上記面状接着をする面は極薄の多層構造体であるから、粘着面が皮膚２０の凹凸面に対応して自在に密着されるので、装着される皮膚２０の全面に接着することができる。
【００７０】
よって皮膚２０に接着される粘着剤の粘着力が比較的弱くても皮膚２０の全面に接着しているから接着保持力が維持され、不測の脱落を防止することができる。この点につき、図１８に示すように粘着層１５’が皮膚２０に点状にしか接着していないと接着保持力が維持されないので、従来のように粘着層１５’の粘着力を比較的強くかつ硬い性質の粘着剤から構成しないと不測に脱落するおそれがある。しかしながら、粘着層１５’の粘着力を比較的強くかつ硬い性質の粘着剤から構成すると、図２１に示すように非常に多くの皮膚２０の角質層２１が剥離されてしまう。
【００７１】
また汗等水分の存在は粘着力に悪影響を及ぼすところ、第２粘着層１５に浸み込んでくる汗等はタンク層１３に吸収されるため、第２粘着層１５には汗等水分の影響が少なくなり粘着力が保持される。これによっても、比較的弱い粘着力しか有していない第２粘着層１５による皮膚２０への接着が維持される。
【００７２】
かつらの取外しにおいて、皮膚２０に接着される第２粘着層１５の粘着力は比較的弱いので、図１９に示すように皮膚２０の角質層２１は殆んど剥離されないで済む。
【００７３】
また第２粘着層１５の粘着力は比較的弱いので、層面に付着される角質層２１も水洗いにより簡単に除去することができる。これにより粘着面の活性化を図ることができ、複数回（例えば３０回程度）の繰返し使用を可能とする。
【００７４】
<６．ハンドリングの容易性>
上記ベース３にはヘア材５が植え付けられており、このヘア材５が一種の芯材として作用する。しかも、第１粘着層１１は、ヘア材５の植え付けられた上記ベース３と、該ベース３と同一のフィルム状素材からなるタンク層１３により積層接着され、サンドイッチ構造となっている。よって比較的強い粘着力を有する第１粘着層１１による縮減力を規制するので、ベース３がくしゃくしゃに縮減するのを防止する。
【００７５】
またタンク層１３がベース３と同一のフィルム状素材からなるため、粘着剤との相性がアンバランスとならず、この点でもベース３が過度に縮減傾向となることを防止し、また、水分吸湿性の低下を防止する。
【００７６】
よってベース３が縮んでいないので、ユーザによる装着の際、取扱いが容易であり、また取外しの際ベース３に引張負荷がかかっても伸び過ぎが制約されるので、ハンドリングの容易性がある。
【００７７】
<７．リメイクの容易性>
汎用かつら１は、例えばベース３又はヘア材５が消耗するまで定期的に第２粘着層１５を交換することにより再利用可能となる。リメイクの際に第２粘着層１５は除去される。
【００７８】
第２粘着層１５の除去は、例えば擦り取りの如き物理的な除去である。この除去において、第２粘着層１５は、その構成面が上記のようなヘア材５の芯材作用や多層構造により、３次元的に変形したり縮減したりすることが防止される。
【００７９】
よって第２粘着層１５の除去が容易であり、リメイク可能であり、かつ、リメイクの容易性がある。
【００８０】
<４．その他の効果>
タンク層１３がベース３と同一のフィルム状素材からなり、かつ厚さがベース３と同一であるため、皮膚２０に装着した際透過性が一層ある。よってベース３のてかりを防止し、かつらであることの見分けが困難となる効果が一層ある。この点につき、タンク層１３がベース３と異素材であったり、厚さが過度に大であったりすると、透過性がアンバランスとなり、かつらであることの判別が容易となる難がある。
【００８１】
本願発明は上記実施の形態に制限されない。例えば、第２剥離層１８の設置部位（積層部位）は任意であり、第１粘着層１１の前半部とすることもできる。またベース３及びタンク層１３の厚さは上記実施の形態よりさらに極薄の例えば１０μｍ程度とすることができる。また上記実施の形態で述べたヘア材５の直径の寸法も一例として理解すべきである。また適用部位は人体の皮膚であれば頭部に限られない。
【産業上の利用可能性】
【００８２】
本願発明による汎用かつら、かつらの装着方法及びカスタマイズかつらは、例えば頭部のかつらとして活用することができる。
【符号の説明】
【００８３】
１      汎用かつら
２      カスタマイズかつら
３      ベース
４      中央部分
５      ヘア材
７      根部
９      紫外線（ＵＶ）硬化剤
１１    第１粘着層
１３    タンク層
１５    第２粘着層
１６    １次しわ
１７    第１剥離層
１８    第２剥離層
１９    ２次しわ
２０    皮膚
２１    角質層
２２    自毛
２３    供給ピン
【図１】
0005485719.tif 000002
【図２Ａ】
0005485719.tif 000003
【図２Ｂ】
0005485719.tif 000004
【図３】
0005485719.tif 000005
【図４】
0005485719.tif 000006
【図５】
0005485719.tif 000007
【図６】
0005485719.tif 000008
【図７】
0005485719.tif 000009
【図８】
0005485719.tif 000010
【図９】
0005485719.tif 000011
【図１０】
0005485719.tif 000012
【図１１】
0005485719.tif 000013
【図１２】
0005485719.tif 000014
【図１３】
0005485719.tif 000015
【図１４】
0005485719.tif 000016
【図１５】
0005485719.tif 000017
【図１６】
0005485719.tif 000018
【図１７】
0005485719.tif 000019
【図１８】
0005485719.tif 000020
【図１９】
0005485719.tif 000021
【図２０】
0005485719.tif 000022
【図２１】
0005485719.tif 000023